(57)【特許請求の範囲】
【請求項１】
階層構造で定義された複数の設定画面のいずれか１つを表示する表示手段と、
前記複数の設定画面のうち表示されている設定画面に含まれる設定項目への設定値の入力を受け付け、受け付けられた設定値を設定する設定手段と、
前記設定項目のうちの予め定められた基本設定項目の設定値が変更された場合、前記基本設定項目と変更前の設定値とを記憶する変更前設定値記憶手段と、
前記階層構造で定義された複数の設定画面のいずれが表示されていても、前記基本設定項目の設定値を変更前の設定値に戻すための操作を受け付け可能な操作手段と、
前記基本設定項目の設定値が変更されてから所定時間が経過する前に前記操作手段により前記操作が受け付けられると、前記基本設定項目に設定されている変更後の設定値を前記変更前設定値記憶手段に記憶された前記変更前の設定値に変更するとともに、前記複数の設定画面のうち前記設定値が変更された前記基本設定項目の設定値を設定するための設定画面を、前記変更前設定値記憶手段に記憶された前記変更前の設定値に基づいて表示する設定値変更手段と、を備えた情報処理装置。
【請求項２】
前記操作手段は、前記表示手段とは別に設けられた操作キーである、請求項１に記載の情報処理装置。
【請求項３】
前記基本設定項目は、表示する言語を設定するための設定項目、ネットワークアドレスを設定するための設定項目、操作キーに割り当てる機能を設定するための設定項目の少なくとも１つを含む、請求項１または２に記載の情報処理装置。
【請求項４】
前記設定値変更手段は、前記基本設定項目が複数あるときは、複数の前記基本設定項目のうち最後に設定値が変更された基本設定項目の設定値を、前記設定値記憶手段に記憶された前記変更前の設定値に変更する、請求項１〜３のいずれかに記載の情報処理装置。
【請求項５】
前記変更前設定値記憶手段は、前記基本設定項目が複数あるときは、前記変更前の設定値を複数の前記基本設定項目のうち対応する基本設定項目と関連付けて記憶し、
前記設定値変更手段は、前記操作手段により前記操作が受け付けられると、前記変更前設定値記憶手段に記憶された、前記設定値が記憶されてから所定時間が経過していない基本設定項目の前記変更前の設定値を表示する履歴表示手段と、
前記履歴表示手段により表示された前記変更前の設定値のうちから１つの指定を受け付ける指定受付手段と、を含み、
複数の前記基本設定項目のうち指定された前記変更前の設定値に対応する基本設定項目の設定値を、指定された前記変更前の設定に変更する、請求項１〜３のいずれかに記載の情報処理装置。
【請求項６】
前記設定値変更手段は、
前記操作手段により前記操作が受け付けられた際に、前記設定値が変更されてから所定時間が経過していない前記基本設定項目に言語が含まれる場合、前記履歴表示手段による表示および前記指定受付手段による指定の受け付けに先立って、当該言語の設定値を前記変更前の設定値に変更し、
前記履歴表示手段により、当該変更された変更前の設定値で定まる言語で、前記設定値が変更されてから所定時間が経過していない前記基本設定項目の前記変更前の設定値を表示する、請求項５に記載の情報処理装置。
【請求項７】
階層構造で定義された複数の設定画面のいずれか１つを表示するステップと、
前記複数の設定画面のうち表示されている設定画面に含まれる設定項目への設定値の入力を受け付け、受け付けられた設定値を設定するステップと、
前記設定項目のうちの予め定められた基本設定項目の設定値が変更された場合、前記基本設定項目と変更前の設定値とを記憶する変更前設定値記憶ステップと、
前記階層構造で定義された複数の設定画面のいずれが表示されていても、前記基本設定項目の設定値を変更前の設定値に戻すための操作を受け付け可能な操作受付ステップと、
前記基本設定項目の設定値が変更されてから所定時間が経過する前に前記操作受付ステップにおいて前記操作が受け付けられると、前記基本設定項目に設定されている変更後の設定値を記憶された前記変更前の設定値に変更するとともに、前記複数の設定画面のうち前記設定値が変更された前記基本設定項目の設定値を設定するための設定画面を、前記変更前設定値記憶ステップにおいて記憶された前記変更前の設定値に基づいて表示するステップと、を含む設定方法。
【請求項８】
階層構造で定義された複数の設定画面のいずれか１つを表示するステップと、
前記複数の設定画面のうち表示されている設定画面に含まれる設定項目への設定値の入力を受け付け、受け付けられた設定値を設定するステップと、
前記設定項目のうちの予め定められた基本設定項目の設定値が変更された場合、前記基本設定項目と変更前の設定値とを記憶する変更前設定値記憶ステップと、
前記階層構造で定義された複数の設定画面のいずれが表示されていても、前記基本設定項目の設定値を変更前の設定値に戻すための操作を受け付け可能な操作受付ステップと、
前記基本設定項目の設定値が変更されてから所定時間が経過する前に前記操作受付ステップにおいて前記操作が受け付けられると、前記基本設定項目に設定されている変更後の設定値を記憶された前記変更前の設定値に変更するとともに、前記複数の設定画面のうち前記設定値が変更された前記基本設定項目の設定値を設定するための設定画面を、前記変更前設定値記憶ステップにおいて記憶された前記変更前の設定値に基づいて表示するステップと、をコンピュータに実行させる設定プログラム。
【発明の詳細な説明】
【技術分野】
【０００１】
この発明は、情報処理装置、設定方法および設定プログラムに関し、特に言語の選択など基本機能の設定値を設定する機能を備えた情報処理装置、設定値を設定するための設定方法およびその設定方法をコンピュータに実行させるための設定プログラムに関する。
【背景技術】
【０００２】
近年、スキャナ機能、プリンタ機能、コピー機能、ファクシミリ機能およびネットワーク通信機能等を備えたＭＦＰ（Ｍｕｌｔｉ  Ｆｕｎｃｔｉｏｎ  Ｐｅｒｉｐｈｅｒａｌ）と呼ばれる複合機が登場している。このＭＦＰは、各種機能を実行させるために設定値を設定する必要があるが、これらの設定値は予め定められたデフォルトの設定値が設定されており、設定画面を呼び出して、その設定画面に変更後の設定値を入力することにより、デフォルトの設定値を変更することができる。
【０００３】
このように、設定値は、各種機能ごとに設定しなければならず、そのために複数の設定画面が準備されている。複数の設定画面のうちから設定するための１つを呼び出すことを容易にするために、複数の設定画面は階層構造で定義されている。例えば、スキャナ機能、プリンタ機能、コピー機能、ファクシミリ機能およびネットワーク通信機能それぞれに対する設定画面をグループとして、順に下位の階層に定義されている設定画面を辿ることで、１つの機能さえ選択すれば、所望の設定画面を呼び出すことができる。
【０００４】
一方、設定画面には、上記機能の他に環境設定と呼ばれる基本的な機能を設定するための設定画面がある。例えば、設定画面に表示する言語を設定するための設定画面、ＭＦＰに割り当てられたネットワークアドレスを設定する設定画面、ＭＦＰが備えるファンクションキーに割り当てる機能を設定する設定画面である。これらの設定値は、ＭＦＰが設置される時に一度設定されてしまえば、その後設定値が変更されることは少ない。このため、ユーザは、その環境設定のための設定値を設定するための設定画面の位置を覚えていないことが多い。このため、何らかの理由で環境設定のための設定値が変更された場合、その設定値を元に戻すために設定画面を階層構造を辿って表示させるのは困難である。特に、設定された言語が変更された場合、変更された後の言語を読むことができなければ、現在表示されている設定画面すら理解することができず、階層構造を辿ることが困難となる。
【０００５】
特開平１１−２６１８５２号公報（特許文献１）には、第１階層のメニューに、メニュー表示言語の設定を行うためのメニュー項目を提示する電子カメラが記載されている。しかしながら、第１階層のメニューが表示される頻度が多いのに対して、メニュー表示言語の設定が変更される頻度は少ない。使用頻度の少ないメニュー項目を、多く表示される第１階層のメニューに表示するのは、使用頻度のより高い他のメニュー項目を第１階層のメニューに表示するのに比べて効率が悪くなってしまうといった問題がある。
【特許文献１】特開平１１−２６１８５２号公報
【発明の開示】
【発明が解決しようとする課題】
【０００６】
この発明は上述した問題点を解決するためになされたもので、この発明の目的の１つは、変更前の設定値に効率よく戻すことが可能な情報処理装置を提供することである。
【０００７】
この発明は上述した問題点を解決するためになされたもので、この発明の目的の１つは、変更前の設定値に効率よく戻すことが可能な設定方法および設定プログラムを提供することである。
【課題を解決するための手段】
【０００８】
上述した目的を達成するためにこの発明のある局面によれば、情報処理装置は、階層構造で定義された複数の設定画面のいずれか１つを表示する表示手段と、複数の設定画面のうち表示されている設定画面に含まれる設定項目への設定値の入力を受け付け、受け付けられた設定値を設定する設定手段と、設定項目のうちの予め定められた基本設定項目の設定値が変更された場合、基本設定項目と変更前の設定値とを記憶する変更前設定値記憶手段と、階層構造で定義された複数の設定画面のいずれが表示されていても、基本設定項目の設定値を変更前の設定値に戻すための操作を受け付け可能な操作手段と、基本設定項目の設定値が変更されてから所定時間が経過する前に操作手段により操作が受け付けられると、基本設定項目に設定されている変更後の設定値を変更前設定値記憶手段に記憶された変更前の設定値に変更するとともに、複数の設定画面のうち設定値が変更された基本設定項目の設定値を設定するための設定画面を、変更前設定値記憶手段に記憶された変更前の設定値に基づいて表示する設定値変更手段と、を備える。
【０００９】
この局面に従えば、予め定められた基本設定項目の設定値が変更された場合、基本設定項目と変更前の設定値とが記憶され、基本設定項目の設定値が変更されてから所定時間が経過する前に、基本設定項目の設定値を変更前の設定値に戻すための操作が受け付けられると、基本設定項目に設定されている変更後の設定値が変更前の設定値に変更されるとともに、複数の設定画面のうち設定値が変更された基本設定項目の設定値を設定するための設定画面が、変更前の設定値に基づいて表示される。このため、複数の設定画面のうちから、変更された基本設定項目の設定値を設定するための設定画面を選択する操作をする必要がない。特に、基本設定項目が設定画面に表示される言語を選択するための設定値の場合、変更後の設定値で定まる言語を理解できないユーザであっても、変更前の設定値で定める言語で設定画面を表示させることができる。その結果、変更前の設定値に効率よく戻すことが可能な情報処理装置を提供することができる。
【００１０】
好ましくは、操作手段は、前記表示手段とは別に設けられた操作キーである。
【００１２】
好ましくは、基本設定項目は、表示する言語を設定するための設定項目、ネットワークアドレスを設定するための設定項目、操作キーに割り当てる機能を設定するための設定項目の少なくとも１つを含む。
【００１３】
好ましくは、設定値変更手段は、基本設定項目が複数あるときは、複数の基本設定項目のうち最後に設定値が変更された基本設定項目の設定値を、設定値記憶手段に記憶された変更前の設定値に変更する。
【００１４】
好ましくは、変更前設定値記憶手段は、基本設定項目が複数あるときは、変更前の設定値を複数の基本設定項目のうち対応する基本設定項目と関連付けて記憶し、設定値変更手段は、操作手段により前記操作が受け付けられると、変更前設定値記憶手段に記憶された、設定値が記憶されてから所定時間が経過していない基本設定項目の変更前の設定値を表示する履歴表示手段と、履歴表示手段により表示された変更前の設定値のうちから１つの指定を受け付ける指定受付手段と、を含み、複数の基本設定項目のうち指定された変更前の設定値に対応する基本設定項目の設定値を、指定された変更前の設定に変更する。
【００１５】
この局面によれば、複数の基本設定項目の設定値が変更された場合、変更前の設定値が表示され、表示された変更前の設定値のうち指定された設定値の基本設定項目の設定値が指定された変更前の設定に変更される。このため、基本設定項目が複数変更された場合でも、必要な基本設定項目の設定値だけを変更前の設定値に戻すことができる。
好ましくは、設定値変更手段は、操作手段により操作が受け付けられた際に、設定値が変更されてから所定時間が経過していない基本設定項目に言語が含まれる場合、履歴表示手段による表示および指定受付手段による指定の受け付けに先立って、当該言語の設定値を変更前の設定値に変更し、履歴表示手段により、当該変更された変更前の設定値で定まる言語で、設定値が変更されてから所定時間が経過していない基本設定項目の変更前の設定値を表示する。
【００１６】
この発明の他の局面によれば、設定方法は、階層構造で定義された複数の設定画面のいずれか１つを表示するステップと、複数の設定画面のうち表示されている設定画面に含まれる設定項目への設定値の入力を受け付け、受け付けられた設定値を設定するステップと、設定項目のうちの予め定められた基本設定項目の設定値が変更された場合、基本設定項目と変更前の設定値とを記憶する変更前設定値記憶ステップと、階層構造で定義された複数の設定画面のいずれが表示されていても、基本設定項目の設定値を変更前の設定値に戻すための操作を受け付け可能な操作受付ステップと、基本設定項目の設定値が変更されてから所定時間が経過する前に操作受付ステップにおいて操作が受け付けられると、基本設定項目に設定されている変更後の設定値を記憶された変更前の設定値に変更するとともに、複数の設定画面のうち設定値が変更された基本設定項目の設定値を設定するための設定画面を、変更前設定値記憶ステップにおいて記憶された変更前の設定値に基づいて表示するステップと、を含む。
【００１７】
この局面に従えば、変更前の設定値に効率よく戻すことが可能な設定方法を提供することができる。
【００１８】
この発明のさらに他の局面によれば、設定プログラムは、階層構造で定義された複数の設定画面のいずれか１つを表示するステップと、複数の設定画面のうち表示されている設定画面に含まれる設定項目への設定値の入力を受け付け、受け付けられた設定値を設定するステップと、設定項目のうちの予め定められた基本設定項目の設定値が変更された場合、基本設定項目と変更前の設定値とを記憶する変更前設定値記憶ステップと、階層構造で定義された複数の設定画面のいずれが表示されていても、基本設定項目の設定値を変更前の設定値に戻すための操作を受け付け可能な操作受付ステップと、基本設定項目の設定値が変更されてから所定時間が経過する前に操作受付ステップにおいて操作が受け付けられると、基本設定項目に設定されている変更後の設定値を記憶された変更前の設定値に変更するとともに、複数の設定画面のうち設定値が変更された基本設定項目の設定値を設定するための設定画面を、変更前設定値記憶ステップにおいて記憶された変更前の設定値に基づいて表示するステップと、をコンピュータに実行させる。
【００１９】
この局面に従えば、変更前の設定値に効率よく戻すことが可能な設定プログラムを提供することができる。
【発明を実施するための最良の形態】
【００２０】
以下、本発明の実施の形態について図面を参照して説明する。以下の説明では同一の部品には同一の符号を付してある。それらの名称および機能も同じである。したがってそれらについての詳細な説明は繰返さない。
【００２１】
図１は、本発明の実施の形態の１つにおけるＭＦＰの外観を示す斜視図である。図１を参照して、情報処理装置としてのＭＦＰ１００は、自動原稿搬送装置（ＡＤＦ）１０と、画像読取部２０と、画像形成部３０と、給紙部４０と、後処理部５０と、を含む。ＡＤＦ１０は、原稿台に搭載された複数枚の原稿をさばいて１枚ずつ順に、画像読取部２０に搬送する。画像読取部２０は、写真、文字、絵等の画像情報を原稿から光学的に読み取って画像データを取得する。
【００２２】
画像形成部３０は、画像データが入力されると、画像データに基づいて用紙上に画像を形成する。画像形成部３０は、シアン、マゼンタ、イエローの３色のトナーを用いてカラーの画像を形成する、また、シアン、マゼンタ、イエローおよびブラックのいずれか１色トナーを用いてモノクロの画像を形成する。
【００２３】
給紙部４０は、用紙を格納しており、格納した用紙を１枚ずつ画像形成部３０に供給する。後処理部５０は、画像が形成された用紙を排紙する。後処理部５０は、複数の排紙トレイを有し、記録シートをソートして排紙することが可能である。また、後処理部５０は、パンチ穴加工部、ステープル加工部を備えており、排紙された記録シートにパンチ穴加工、またはステープル加工することが可能である。ＭＦＰ１００は、その上面に操作パネル９を備える。
【００２４】
図２は、ＭＦＰのハード構成の一例を示すブロック図である。図２を参照して、ＭＦＰ１００は、メイン回路１０１をさらに含み、メイン回路１０１は、ファクシミリ部６０と、通信制御部６１と、ＡＤＦ１０と、画像読取部２０と、画像形成部３０と、給紙部４０と、後処理部５０と接続される。メイン回路１０１は、中央演算装置（ＣＰＵ）１１１と、ＣＰＵ１１１の作業領域として使用されるＲＡＭ（Ｒａｎｄｏｍ  Ａｃｃｅｓｓ  Ｍｅｍｏｒｙ）１１２と、ＣＰＵ１１１が実行するプログラム等を記憶するためのＥＥＰＲＯＭ（Ｅｌｅｃｔｒｏｎｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）１１３と、表示部１１４と、操作部１１５と、大容量記憶装置としてのハードディスクドライブ（ＨＤＤ）１１６と、データ通信制御部１１７と、を含む。ＣＰＵ１１１は、表示部１１４、操作部１１５、ＨＤＤ１１６およびデータ通信制御部１１７とそれぞれ接続され、メイン回路１０１の全体を制御する。また、ＣＰＵ１１１は、ファクシミリ部６０、通信制御部６１、ＡＤＦ１０、画像読取部２０、画像形成部３０、給紙部４０および後処理部５０と接続され、ＭＦＰ１００の全体を制御する。
【００２５】
表示部１１４は、液晶表示装置（ＬＣＤ）、有機ＥＬＤ（Ｅｌｅｃｔｒｏ  Ｌｕｍｉｎｅｓｃｅｎｃｅ  Ｄｉｓｐｌａｙ）等のディスプレイであり、ユーザに対する指示メニューや取得した画像データに関する情報等を表示する。操作部１１５は、複数のキーを備え、ユーザが押下したキーに対応する各種の指示、文字、数字などのデータの入力を受付ける。操作部１１５は、表示部１１４上に設けられたタッチパネルを含む。表示部１１４と操作部１１５とで、操作パネル９（図１参照）が構成される。
【００２６】
データ通信制御部１１７は、ＴＣＰ（Ｔｒａｎｓｍｉｓｓｉｏｎ  Ｃｏｎｔｒｏｌ  Ｐｒｏｔｏｃｏｌ）またはＵＤＰ（Ｕｓｅｒ  Ｄａｔａｇｒａｍ  Ｐｒｏｔｏｃｏｌ）等の通信プロトコルで通信するためのインターフェースであるＬＡＮ端子１１８と、シリアル通信するためのシリアル通信インターフェース端子１１９とを有する。データ通信制御部１１７は、ＣＰＵ１１１からの指示に従って、ＬＡＮ端子１１８またはシリアル通信インターフェース端子１１９に接続された外部の機器との間でデータを送受信する。
【００２７】
ＬＡＮ端子１１８に、ネットワークに接続するためのＬＡＮケーブルが接続される場合、データ通信制御部１１７は、ＬＡＮ端子１１８を介して他のＭＦＰまたはコンピュータと通信することが可能である。
【００２８】
また、ＣＰＵ１１１は、データ通信制御部１１７を制御して、メモリカード１１９ＡからＣＰＵ１１１が実行するためのプログラムを読出し、読み出したプログラムをＲＡＭ１１２に記憶し、実行する。なお、ＣＰＵ１１１が実行するためのプログラムを記憶する記録媒体としては、メモリカード１１９Ａに限られず、フレキシブルディスク、カセットテープ、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等の媒体でもよい。さらに、ＣＰＵ１１１がインターネットに接続されたコンピュータからプログラムをダウンロードしてＨＤＤ１１６に記憶する、または、インターネットに接続されたコンピュータがプログラムをＨＤＤ１１６に書込みするようにして、ＨＤＤ１１６に記憶されたプログラムをＲＡＭ１１２にロードしてＣＰＵ１１１で実行するようにしてもよい。ここでいうプログラムは、ＣＰＵ１１１により直接実行可能なプログラムだけでなく、ソースプログラム、圧縮処理されたプログラム、暗号化されたプログラム等を含む。
【００２９】
通信制御部６１は、ＣＰＵ１１１をＰＳＴＮ（Ｐｕｂｌｉｃ  Ｓｗｉｔｃｈｅｄ  Ｔｅｌｅｐｈｏｎｅ  Ｎｅｔｗｏｒｋｓ）７に接続するためのモデムである。ＭＦＰ１００には、ＰＳＴＮ７における電話番号が予め割り当てられており、ＰＳＴＮ７に接続されたファクシミリ装置からＭＦＰ１００に割り当てられた電話番号に着呼があると、通信制御部６１がその着呼を検出する。通信制御部６１は、着呼を検出すると通話を確立し、ファクシミリ部６０に通信させる。
【００３０】
ファクシミリ部６０は、ＰＳＴＮ７に接続され、ＰＳＴＮ７にファクシミリデータを送信する、またはＰＳＴＮ７からファクシミリデータを受信する。ファクシミリ部６０は、受信したファクシミリデータを画像形成部３０でプリント可能なプリントデータに変換して、画像形成部３０に出力する。これにより、画像形成部３０は、ファクシミリ部６０により受信されたファクシミリデータを記録シートにプリントする。また、ファクシミリ部６０は、ＨＤＤ１１６に記憶されたデータをファクシミリデータに変換して、ＰＳＴＮ７に接続されたファクシミリ装置または他のＭＦＰに出力する。これにより、ＨＤＤ１１６に記憶されたデータをファクシミリ装置または他のＭＦＰに出力することができる。このように、ＭＦＰ１００は、ファクシミリ送受信機能を有する。
【００３１】
図３は、ＭＦＰが備えるＣＰＵの機能概要の一例をＥＥＰＲＯＭに記憶される情報とともに示す機能ブロック図である。図３を参照して、ＣＰＵ１１１は、操作を受け付ける操作受付部１５１と、設定画面を表示するための設定画面表示部１５３と、設定値を設定するための設定部１５５と、設定部１５５により設定値が変更される前に設定されている設定値を記憶するための変更前設定値記憶部１５７と、所定の操作の入力に応じて設定値を変更前の設定値に変更するための設定値変更部１５９と、を含む。
【００３２】
ＥＥＰＲＯＭ１１３には、表示するための複数の設定画面を含む設定画面データ１７１と、複数の設定項目ごとに設定値を含む設定値レコードを含む設定値テーブル１７３と、変更前設定情報１７５とが記憶される。設定画面は、表示部１１４に表示される画面であり、ＭＦＰ１００に各種の機能を実行させるための設定値の入力を受け付けるための画面である。複数の設定画面は、複数の設定画面のうちから選択し易くするために、階層構造で定義されている。また、本実施の形態におけるＭＦＰ１００は、複数の言語で設定画面を表示することが可能である。このため、複数の言語それぞれに対応する複数種類の設定画面をＥＥＰＲＯＭ１１３に記憶している。
【００３３】
設定値テーブル１７３は、複数の設定項目ごとに設定される設定値を含む複数の設定レコードを含む。複数の設定項目それぞれは、複数の設定画面のいずれかに対応して定められる。
【００３４】
図４は、設定画面の階層構造を示す図である。図４を参照して、メインメニューの下の第１階層に第１階層の設定画面として、宛先登録画面、ユーザ設定画面、コピー設定画面、プリンタ設定画面、ネットワーク設定画面、環境設定画面が定義される。宛先登録画面、ユーザ設定画面、コピー設定画面、プリンタ設定画面、ネットワーク設定画面、環境設定画面それぞれには、さらに下の第２階層、第３階層に設定画面が定義される。
【００３５】
ここでは、第１階層のネットワーク設定画面および環境設定画面について説明する。ネットワーク設定画面の下位の第２階層の設定画面として、ＴＣＰ／ＩＰ設定画面、ＦＴＰ設定画面、ＳＭＢ設定画面、Ｅ−ｍａｉｌ設定画面が定義される。また、環境設定画面の下位の第２階層の設定画面として、パスワード設定画面、出力設定画面、日時設定画面、サマータイム設定画面、ウィークリータイマー設定画面、ユーザ操作禁止設定画面、言語選択画面、キー割り当て設定画面が定義される。
【００３６】
図５は、設定値テーブルの一例を示す図である。図５を参照して、設定値テーブル１７３は、項目識別情報および設定値それぞれの項目を含む複数の設定値レコードを含む。例えば、第１番目の設定値レコードは、項目識別情報の項目に「言語」が設定され、設定値の項目に「日本語」が設定される。第２番目の設定値レコードは、項目識別情報の項目に「ネットワークアドレス」が設定され、設定値の項目に「１９８．１００．１００．１００」が設定される。第３番目の設定値レコードは、項目識別情報の項目に第１ファンクションキーの識別名「キー１」が設定され、設定値の項目にスキャンしたデータをＨＤＤ１１６に記憶する機能の識別名「ＳｃａｎＴｏＢｏｘ」が設定される。第４番目の設定値レコードは、項目識別情報の項目に第２ファンクションキーの識別名「キー２」が設定され、設定値の項目にスキャンしたデータをＦＴＰで送信する機能の識別名「ＳｃａｎＴｏＦｔｐ」が設定される。第５番目の設定値レコードは、項目識別情報の項目に第３ファンクションキーの識別名「キー３」が設定され、設定値の項目にＨＤＤ１１６に記憶されたデータをＦＴＰ（Ｆｉｌｅ  Ｔｒａｎｓｆｅｒ  Ｐｒｏｔｏｃｏｌ）で送信する機能の識別名「ＢｏｘＴｏＦｔｐ」が設定される。
【００３７】
図６は、操作パネルの一例を示す平面図である。図６を参照して、操作パネル９は、表示部１１４と、操作部１１５とを含む。操作部１１５は、テンキー１１５Ａと、スタートキー１１５Ｂと、入力内容をキャンセルするためのリセットキー１１５Ｃと、コピー処理を実行するためのコピーモードにＭＦＰ１００を遷移させるためのコピーキー１１５Ｄと、ファクシミリ処理またはスキャン処理を実行するためのモードにＭＦＰ１００を遷移させるためのファックス／スキャンキー１１５Ｅと、ＨＤＤ１１６に記憶されているデータを指定する処理を実行するためのモードにＭＦＰ１００を遷移させるためのボックスキー１１５Ｆと、設定変更確認キー１１５Ｇと、ヘルプ画面を表示させる操作を受け付けるヘルプキー１１５Ｈと、第１〜第３ファンクションキー１１５Ｉと、含む。
【００３８】
図３に戻って、操作受付部１５１は、ユーザが操作部１１５に入力する操作を受け付ける。操作受付部１５１は、受け付けた操作を設定画面表示部１５３、設定部１５５および設定値変更部１５９に出力する。操作受付部１５１が受け付ける操作は、設定画面を別の設定画面に遷移させるための画面遷移操作と、設定値の入力を受け付ける設定値受付操作と、設定値のうち予め定められた基本設定項目の設定値を変更前の設定値に戻す設定値変更操作と、を含む。画面遷移操作は、設定画面に含まれる遷移ボタンまたは操作部１１５が備える遷移キーが指示されることにより受け付けられ、遷移後の設定画面を識別するための情報を含む。遷移キーは、コピーキー１１５Ｄ、ファックス／スキャンキー１１５Ｅ、ボックスキー１１５Ｆと、ヘルプキー１１５Ｈを含む。設定値受付操作は、設定値を含む。さらに、設定値変更操作は、操作部１１５に予め設けられた設定変更確認キー１１５Ｇ（図６参照）が指示されることにより受け付けられる。なお、設定値変更操作は、設定変更確認キー１１５Ｇとば別のキー、たとえばヘルプキー１１５Ｈが長時間押下されることによって、受け付けられるようにしてもよい。
【００３９】
設定画面表示部１５３は、設定値が設定された設定画面を表示部１１４に表示する。具体的には、設定画面表示部１５３は、設定値テーブル１７３に含まれる複数の設定値レコードのうちから、表示する言語を設定するための設定項目の設定値レコード、ここでは項目識別情報が「言語」に設定されている設定値レコードをまず抽出し、抽出された設定値レコードに含まれる設定値がいずれの言語であるかを取得する。そして、取得された言語の設定画面を設定画面データ１７１のうちから読み出す。また、設定画面表示部１５３は、設定値テーブル１７３に含まれる複数の設定値レコードのうちから、設定画面に対応する設定項目を含む設定値レコードを抽出し、抽出された設定値レコードに含まれる設定値を、先に読み出した設定画面に設定する。そして、設定値が設定された設定画面を表示部１１４に表示する。また、設定画面表示部１５３は、表示部１１４に表示されている設定画面において、設定可能なアクティブな状態になっている設定項目を識別するための項目識別情報を設定部１５５に出力する。
【００４０】
設定画面表示部１５３が表示部１１４に表示するための設定画面は、ＭＦＰ１００の電源がオンになった場合またはＭＦＰ１００がリセットされた場合はメニュー画面であり、操作受付部１５１により画面遷移操作が受け付けられた場合は遷移後の設定画面である。
【００４１】
設定部１５５は、アクティブな設定項目の項目識別情報が設定画面表示部１５３から入力される。設定部１５５は、操作受付部１５１により設定値受付操作が受け付けられると、設定値テーブル１７３に含まれる複数の設定値レコードのうち、項目識別情報を含む設定値レコードの設定値の項目に、設定値受付操作に含まれる設定値を設定する。換言すれば、設定値レコードの設定値の項目の設定値を、設定値受付操作に含まれる設定値で更新する。ただし、設定部１５５は、項目識別情報が予め定められた基本設定項目の項目識別情報の場合、項目識別情報を変更前設定値記憶部１５７に出力し、変更前設定値記憶部１５７から後述する完了信号が入力されるまで、設定値を更新しない。基本設定項目は、予め定められた項目である。基本設定項目は、図４に示した設定画面のうち、第１階層のネットワーク設定画面の下位の第２階層に定義されている設定画面、および、環境設定画面の下位の第２階層から第４階層それぞれに定義される設定画面で設定値が設定される設定項目と、を含む。例えば、基本設定項目は、設定画面を表示するための言語を設定する設定項目、ＭＦＰ１００に設定されるネットワークアドレスを設定する設定項目、ファンクションキー１１５Ｉに割り当て機能を設定する設定項目を含む。
【００４２】
変更前設定値記憶部１５７は、設定部１５５から基本設定項目の項目識別情報が入力されると、設定値テーブル１７３を参照し、入力された項目識別情報を含む設定値レコードを抽出する。そして、抽出された設定値レコードをＥＥＰＲＯＭ１１３に変更前設定情報１７５として記憶する。ＥＥＰＲＯＭ１１３に変更前設定情報１７５が既に記憶されている場合には、変更前設定情報１７５に抽出された設定値レコードを上書きする。すなわち、変更前設定情報１７５は、最も後に変更された基本設定項目の項目識別情報と設定値とを記憶する。変更前設定値記憶部１５７は、変更前設定情報に設定値を記憶すると、変更信号を設定値変更部１５９に出力するとともに、完了信号を設定部１５５に出力する。
【００４３】
設定値変更部１５９は、変更前設定値記憶部１５７から変更信号が入力されると、所定時間のカウントを開始する。所定時間は、例えば３０分である。設定値変更部１５９は、操作受付部１５１から設定値変更操作が入力されると、変更信号が入力されてから所定時間が経過する前ならば、変更前設定情報１７５を読出し、設定値テーブル１７３に含まれる設定レコードのうち、読み出した変更前設定情報１７５の項目識別情報を含む設定レコードの設定値を、読み出した変更前設定情報１７５の設定値に変更する。
【００４４】
したがって、基本設定項目の設定値が変更された場合、所定時間が経過する前ならば、設定変更確認キー１１５Ｇを指示する簡単な操作で、変更前の設定値に変更される。このため、基本設定項目を設定するための設定画面を表示部１１４に表示させる必要がなく、操作が簡単である。例えば、言語の基本設定項目の設定値が「日本語」から「英語」に変更されると、その後に表示部１１４に表示される設定画面は、「英語」の設定画面が表示される。言語の基本設定項目の設定値が変更された後に、ＭＦＰ１００を使用するユーザが英語を理解することができない場合、言語選択の設定画面を表示部１１４に表示させる操作を入力するのは、困難である。このような場合であっても、ユーザは、設定変更確認キー１１５Ｇを指示する操作をするだけで、言語の基本設定項目の設定値を「英語」に変更前の「日本語」に変更することができる。
【００４５】
図７は、設定処理の流れの一例を示すフローチャートである。設定処理は、ＣＰＵ１１１が設定プログラムを実行することにより、ＣＰＵ１１１により実行される処理である。図７を参照して、ＣＰＵ１１１は、メニュー画面を表示部１１４に表示する（ステップＳ０１）。そして、遷移キーの押下を検出したか否かを判断する（ステップＳ０２）。遷移キーの押下を検出したならば処理をステップＳ０３に進め、そうでなければステップＳ０３をスキップして処理をステップＳ０４に進める。ステップＳ０３においては、遷移キーにより定まる設定画面を表示部１１４に表示し、処理をステップＳ０４に進める。
【００４６】
ステップＳ０４においては、設定値の入力を受け付けたか否かを判断する。設定値の入力を受け付けたならば処理をステップＳ０５に進めるが、そうでなければ処理をステップＳ１０に進める。
【００４７】
ステップＳ０５においては、設定値が入力された設定項目が、基本設定項目か否かを判断する。基本設定項目ならば処理をステップＳ０６に進め、基本設定項目でなければ処理をステップＳ１５に進める。ステップＳ１５においては、設定値が入力された設定項目の設定値を、入力された設定値に更新し、処理をステップＳ０２に戻す。具体的には、ＥＥＰＲＯＭ１１３に記憶されている設定値テーブル１７３に含まれる複数の設定値レコードのうち、ステップＳ０４において設定値が入力された設定項目の項目識別情報を含む設定値レコードの設定値の項目に設定されている設定値を、ステップＳ０４において入力された設定値に変更する。
【００４８】
ステップＳ０６においては、変更前の設定値を上書き保存する。具体的には、ＥＥＰＲＯＭ１１３に記憶されている変更前設定情報１７５を、ステップＳ０４において設定値が入力された設定項目の項目識別情報を含む設定値レコードで書き換える。これにより、最も後に設定値が変更された基本設定項目の設定値が記憶される。
【００４９】
ステップＳ０７においては、設定値を変更する。具体的には、ＥＥＰＲＯＭ１１３に記憶されている設定値テーブル１７３に含まれる複数の設定値レコードのうち、ステップＳ０４において設定値が入力された設定項目の項目識別情報を含む設定値レコードの設定値の項目に設定されている設定値を、ステップＳ０４において入力された設定値に変更する。これにより、基本設定項目の設定値が変更される。例えば、言語の基本設定項目が「日本語」から「英語」に変更される。
【００５０】
ステップＳ０８においては、タイマに所定時間をセットする。所定時間は、ここでは３０分としている。そして、タイマの減算を開始し（ステップＳ０９）、処理をステップＳ１０に進める。ステップＳ１０においては、タイマ値が０になったか否かを判断する。換言すれば、基本設定項目の設定値が変更されてから所定時間（３０分）が経過したか否か判断する。タイマ値が０ならば処理をステップＳ０２に戻すが、そうでなければ所定をステップＳ１１に進める。換言すれば、基本設定項目の設定値が変更されてから所定時間（３０分）が経過する前ならばステップＳ１１〜ステップＳ１４の処理が実行される。
【００５１】
ステップＳ１１においては、設定変更確認キー１１５Ｇの押下を検出したか否かを判断する。設定変更確認キー１１５Ｇの押下を検出したならば処理をステップＳ１２に進めるが、そうでなければ処理をステップＳ０２に戻す。ステップＳ１２においては、変更前の設定値を読み出す。具体的には、ステップＳ０６においてＥＥＰＲＯＭ１１３に記憶した変更前設定情報１７５を読み出す。そして、ＥＥＰＲＯＭ１１３に記憶されている設定値テーブル１７３に含まれる複数の設定値レコードのうち、変更前設定情報１７５に含まれる項目識別情報と同じ項目識別情報を含む設定値レコードを抽出し、その設定値レコードの設定値の項目に設定されている設定値を、変更前設定情報１７５に含まれる設定値に変更する（ステップＳ１３）。これにより、基本設定項目の設定値が変更前の設定値に変更される。例えば、言語の基本設定項目が「英語」から変更前の「日本語」に変更される。
【００５２】
そして、ステップＳ１４において設定値が変更された基本設定項目を含む基本設定項目設定用の設定画面を、表示部１１４に表示する。ここでは、言語選択画面を表示部１１４に表示する。この場合、言語の基本設定項目が「日本語」に設定されているので、言語選択画面は日本語で表示される。
【００５３】
以上説明したように本実施の形態におけるＭＦＰ１００は、基本設定項目の設定値が最後に変更されてから所定時間経過する前であれば、設定変更確認キー１１５Ｇを押下する簡単な操作をするだけで、最後に変更された基本設定項目の設定値を変更前の設定値に変更される。このため、ユーザは、基本設定項目の設定値を設定するための設定画面を表示部１１４に表示させる操作をする必要がないので、基本設定項目の設定値の変更が容易となる。特に、言語の基本設定項目の設定値が変更された場合には、設定値を変更した後の言語で設定画面が表示されるが、変更後の設定値の言語を理解できないユーザであっても、変更前の設定値に戻すことができる。
【００５４】
＜変形例＞
上述した実施の形態においては、複数ある基本設定項目のうち最後に設定値が変更された基本設定項目について、変更前の設定値を変更前設定情報１７５として記憶するようにしたが、変形例においては、複数ある基本設定項目のそれぞれについて、変更前の設定値を変更前設定情報１７５として記憶するようにした。また、同じ基本設定項目について、設定値が複数回変更された場合には、変更された回数分の変更前の設定値を変更前設定情報１７５として記憶するようにしている。
【００５５】
図８は、変形例におけるＭＦＰ１００が備えるＣＰＵ１１１の機能概要の一例をＥＥＰＲＯＭに記憶される情報とともに示す機能ブロック図である。図８を参照して、図３に示した機能ブロック図と異なる点は、変更前設定値記憶部１５７Ａおよび設定値変更部１５９Ａを変更した点、および変更前設定情報１７５Ａのフォーマットを変更した点である。以下、図３に示した機能ブロック図と異なる点を主に説明する。
【００５６】
図８を参照して、変更前設定値記憶部１５７Ａは、設定部１５５から基本設定項目の項目識別情報が入力されると、設定値テーブル１７３を参照し、入力された項目識別情報を含む設定値レコードを抽出する。そして、抽出された設定値レコードをその時の時刻と関連付けて、ＥＥＰＲＯＭ１１３に記憶されている変更前設定情報１７５Ａに追加して記憶する。すなわち、変更前設定情報１７５Ａは、基本設定項目の設定値が変更されるごとに、その基本設定項目の変更前の設定値を時刻と関連付けて記憶する。
【００５７】
また、設定値変更部１５９Ａは、変更前設定値記憶部１５７Ａから変更信号が入力されると、所定時間のカウントを開始する。所定時間は、例えば３０分である。設定値変更部１５９Ａは、操作受付部１５１から設定値変更操作が入力されると、変更信号が入力されてから所定時間が経過する前ならば、変更前設定情報１７５Ａを読出す。ここで、設定値変更部１５９Ａが読み出す変更前設定情報１７５Ａは、現在時刻よりも所定時間前以降の時刻と関連付けられた変更前設定情報１７５Ａである。所定時間前に変更された設定値は、その設定値を有効とするためである。
【００５８】
そして、設定値変更部１５９Ａは、読み出した変更前設定情報１７５Ａに言語の基本設定項目の項目識別情報を含む変更前設定情報１７５Ａが含まれているならば、その変更前設定情報１７５Ａに含まれる設定値に、設定値テーブル１７３を変更する。具体的には、設定値テーブル１７３に含まれる複数の設定レコードのうち、読み出した変更前設定情報１７５Ａの言語の項目識別情報を含む設定レコードの設定値を、読み出した変更前設定情報１７５Ａの設定値に変更する。
【００５９】
さらに、設定値変更部１５９Ａは、現在時刻よりも所定時間前以降の時刻と関連付けられた変更前設定情報１７５Ａを変更履歴情報として表示部１１４に表示し、変更履歴情報として表示された変更前設定情報１７５Ａのうちからいずれかの選択を受け付ける。
【００６０】
設定値変更部１５９Ａは、選択を受け付けたならば、選択された変更前設定情報１７５Ａに含まれる設定値に、設定値テーブル１７３を変更する。具体的には、設定値テーブル１７３に含まれる複数の設定レコードのうち、選択された変更前設定情報１７５Ａの項目識別情報を含む設定レコードの設定値を、選択された変更前設定情報１７５Ａの設定値に変更する。したがって、基本設定項目の設定値が変更された場合、所定時間が経過する前ならば、設定変更確認キー１１５Ｇを指示する簡単な操作で、変更前の設定値に変更される。このため、基本設定項目を設定するための設定画面を表示部１１４に表示させる必要がなく、操作が簡単である。特に、言語の基本設定項目の設定値が変更された場合、変更前に設定されていた言語で設定画面が表示されるので、変更後の言語を理解できないユーザであっても、言語の設定を元に戻すことができる。
【００６１】
図９は、変形例における変更前設定情報のフォーマットの一例を示す図である。図９を参照して、変更前設定情報１７５Ａは、項目識別情報と、設定値と、時刻との項目を含む。項目識別情報は、設定値が変更された基本設定項目を識別するための情報が設定され、設定値は、変更前の設定値が設定され、時刻は設定値が変更されたときの時刻が設定される。
【００６２】
図１０は、変更履歴情報の一例を示す図である。図１０を参照して、変更履歴情報は、第１番目の変更履歴情報として、２００７年８月３１日の１１時００分００秒に言語の基本設定項目の設定値が「日本語」であったものが、別の言語に変更された履歴と、第２番目の変更履歴情報として、２００７年８月３１日の１１時２０分００秒に言語の基本設定項目の設定値が「英語」であったものが、別の言語に変更された履歴と、を含む。ユーザが第１番目または第２番目のいずれかの変更履歴情報を選択すれば、設定値変更部１５９Ａにより選択された変更履歴情報が受け付けられる。
【００６３】
図１１は、変形例における設定処理の流れの一例を示すフローチャートである。図１１を参照して、ステップＳ０１〜ステップＳ１１は、ステップＳ０６Ａを除き図７に示した設定処理と同じである。ステップＳ０６においては、変更前の設定値を上書き保存したのに対して、ステップＳ０６Ａにおいては、ＥＥＰＲＯＭ１１３に記憶されている変更前設定情報１７５Ａに、ステップＳ０４において設定値が入力された設定項目の項目識別情報を含む設定値レコードを時刻と関連付けて追加する。これにより、それまでに設定値が変更された基本設定項目の変更履歴が記憶される。
【００６４】
ステップＳ１１においては、設定変更確認キー１１５Ｇの押下が検出されたならば、次のステップＳ２１において、変更履歴を読み出す。具体的には、ＥＥＰＲＯＭ１１３に記憶されている変更前設定情報１７５Ａのうち、現在時刻よりの所定時間（ここでは３０分）前以降の時刻と関連付けられた変更前設定情報１７５Ａを読み出す。
【００６５】
そして、読み出した変更前設定情報１７５Ａのうちに言語の設定項目の変更があるか否かを判断する（ステップＳ２２）。具体的には、ステップＳ２１において読み出された変更前設定情報１７５Ａのうちに項目識別情報に言語を含む変更前設定情報１７５Ａが存在するか否かを判断する。そのような変更前設定情報１７５Ａが存在すれば処理をステップＳ２３に進め、存在しなければステップＳ２３をスキップして、処理をステップＳ２４に進める。ステップＳ２３においては、言語の設定項目に設定されている設定値を、変更前設定情報１７５Ａに含まれる設定値に変更する。具体的には、ＥＥＰＲＯＭ１１３に記憶されている設定値テーブル１７３に含まれる複数の設定値レコードのうち、言語の設定項目の項目識別情報を含む設定値レコードを抽出し、その設定値レコードの設定値の項目に設定されている設定値を、変更前設定情報１７５Ａに含まれる設定値に変更する。
【００６６】
ステップＳ２４においては、ステップＳ２１において読み出した変更履歴情報を表示部１１４に表示する。ここでは、図１０に示した変更履歴情報が表示される。また、ステップＳ２３が実行される場合には、変更履歴情報は、ステップＳ２３において変更された変更前の設定値で定まる言語で表示される。
【００６７】
次のステップＳ２５においては、表示された変更履歴情報のいずれか１つが選択されるまで待機し、選択を受け付けると処理をステップＳ２６に進める。ステップＳ２６においては、選択された変更履歴情報に従って設定値を変更する。具体的には、ＥＥＰＲＯＭ１１３に記憶されている設定値テーブル１７３に含まれる複数の設定値レコードのうち、選択された変更履歴情報に含まれる項目識別情報と同じ項目識別情報を含む設定値レコードを抽出し、その設定値レコードの設定値の項目に設定されている設定値を、選択された変更履歴情報に含まれる設定値に変更する。そして、設定値が変更された基本設定項目の設定値を設定するための基本設定項目設定用の設定画面を表示部１１４に表示し（ステップＳ２７）、処理をステップＳ０２に戻す。
【００６８】
以上説明したように、変形例におけるＭＦＰ１００においては、基本設定項目の設定値が最後に変更されてから所定時間経過する前であれば、設定変更確認キー１１５Ｇを押下する簡単な操作をするだけで、所定時間内に設定値が変更された基本設定項目について、設定値が変更される前の設定値が、変更履歴情報として表示される。そして、変更履歴情報を選択する指示を入力すれば、選択された変更履歴情報で特定される基本設定項目の設定値が変更前の設定値に変更される。このため、ユーザは、変更前の設定値を覚えていなくても、変更前の設定値に戻すことができる。
【００６９】
今回開示された実施の形態はすべての点で例示であって制限的なものではないと考えられるべきである。本発明の範囲は上記した説明ではなくて特許請求の範囲によって示され、特許請求の範と均等の意味および範囲内でのすべての変更が含まれることが意図される。
【図面の簡単な説明】
【００７０】
【図１】本発明の実施の形態の１つにおけるＭＦＰの外観を示す斜視図である。
【図２】ＭＦＰのハード構成の一例を示すブロック図である。
【図３】ＭＦＰが備えるＣＰＵの機能概要の一例をＥＥＰＲＯＭに記憶される情報とともに示す機能ブロック図である。
【図４】設定画面の階層構造を示す図である。
【図５】設定値テーブルの一例を示す図である。
【図６】操作パネルの一例を示す平面図である。
【図７】設定処理の流れの一例を示すフローチャートである。
【図８】変形例におけるＭＦＰ１００が備えるＣＰＵ１１１の機能概要の一例をＥＥＰＲＯＭに記憶される情報とともに示す機能ブロック図である。
【図９】図９は、変形例における変更前設定情報のフォーマットの一例を示す図である。
【図１０】変更履歴情報の一例を示す図である。
【図１１】変形例における設定処理の流れの一例を示すフローチャートである。
【符号の説明】
【００７１】
１０  ＡＤＦ、２０  画像読取部、３０  画像形成部、４０  給紙部、５０  後処理部、６０  ファクシミリ部、６１  通信制御部、１００  ＭＦＰ、１０１  メイン回路、１１１  ＣＰＵ、１１２  ＲＡＭ、１１３  ＥＥＰＲＯＭ、１１４  表示部、１１５  操作部、１１６  ＨＤＤ、１１７  データ通信制御部、１１９Ａ  メモリカード、１５１  操作受付部、１５３  設定画面表示部、１５５  設定部、１５７，１５７Ａ  変更前設定値記憶部、１５９，１５９Ａ  設定値変更部、１７１  設定画面データ、１７３  設定値テーブル、１７５，１７５Ａ  変更前設定情報。
【図１】
0004978393.tif 000002
【図２】
0004978393.tif 000003
【図３】
0004978393.tif 000004
【図４】
0004978393.tif 000005
【図５】
0004978393.tif 000006
【図６】
0004978393.tif 000007
【図７】
0004978393.tif 000008
【図８】
0004978393.tif 000009
【図９】
0004978393.tif 000010
【図１０】
0004978393.tif 000011
【図１１】
0004978393.tif 000012